(57)【要約】【課題】携帯電話としての機能を有しつつ、必要に応じて種々の楽器と同様の演奏を手軽に行えるようにすること。【解決手段】携帯電話本体１１と、この携帯電話本体１１に着脱自在なアタッチメント１２とを備えて携帯電話機１０が構成されている。アタッチメント１２は、演奏操作可能に設けられ、当該演奏操作を演奏データとして検出可能な操作部２２と、演奏データを送信可能な送信制御部５５とを備えている。携帯電話本体１１は、送信制御部５５を介して送信された演奏データを受信可能な受信制御部３６と、演奏データ及び記憶された楽器プログラムを基に楽音データを生成するよう制御可能な制御部３１とを備えている。操作部２２を演奏操作することで、携帯電話機１０を電子楽器として演奏することが可能となる。【選択図】図１
2010021971.tif 000002
【特許請求の範囲】
【請求項１】
携帯電話本体と、この携帯電話本体に着脱自在なアタッチメントとを備えた電子楽器機能付き携帯電話機であって、
前記アタッチメントは、演奏操作可能に設けられ、当該演奏操作を演奏データとして検出可能な操作部と、前記演奏データを送信可能な送信部とを備え、
前記携帯電話本体は、前記送信部から送信された演奏データを受信可能な受信部と、演奏データ及び記憶された楽器プログラムを基に楽音データを生成するよう制御可能な制御部とを備えていることを特徴とする電子楽器機能付き携帯電話機。
【請求項２】
前記携帯電話本体は、マイクを含み、当該マイクが検出したデータを前記演奏データに含めて前記制御部が前記楽音データを生成するよう制御可能に設けられていることを特徴とする請求項１記載の電子楽器機能付き携帯電話機。
【請求項３】
前記操作部は、押圧操作可能なバルブ部材を備えていることを特徴とする請求項１又は２記載の電子楽器機能付き携帯電話機。
【請求項４】
前記操作部は、直線方向に延出するとともに、当該延出方向に沿って移動可能なスライダ部材を備えていることを特徴とする請求項１，２又は３記載の電子楽器機能付き携帯電話機。
【請求項５】
前記操作部は、吹奏操作の風圧又は風速を検出可能な複数の吹き込み口を備えていることを特徴とする請求項１ないし４の何れかに記載の電子楽器機能付き携帯電話機。
【請求項６】
前記操作部は、張設された弦部材を備えていることを特徴とする請求項１ないし５の何れかに記載の電子楽器機能付き携帯電話機。
【請求項７】
前記操作部は、回転可能なつまみ部材を備えていることを特徴とする請求項１ないし６の何れかに記載の電子楽器機能付き携帯電話機。
【発明の詳細な説明】
【技術分野】
【０００１】
本発明は、通話等の機能の他、電子楽器としての機能も有する携帯電話機に関する。
【背景技術】
【０００２】
従来より、種々のタイプの電子楽器が利用されており、かかる電子楽器として、本出願人によって既に提案された特許文献１に開示されたタイプのものが知られている。同文献では、着脱自在な操作子ユニットを有する電子鍵盤楽器を開示している。操作子ユニットは、複数種類の演奏操作子を備え、当該演奏操作子のうち、一部の演奏操作子を選択して使用可能に設けられている。
【０００３】
【特許文献１】特開２００６−１５４２９８号公報
【発明の開示】
【発明が解決しようとする課題】
【０００４】
しかしながら、特許文献１の電子鍵盤楽器にあっては、演奏だけにしか利用することができない専用機となる。従って、コストや保管スペースを確保するための負担をユーザに強いる場合がある他、特に、未経験者に対し、気軽に演奏するよう促すことが困難になる、という不都合を招来する。
【０００５】
［発明の目的］
本発明は、このような不都合に着目して案出されたものであり、その目的は、携帯電話としての機能を有しつつ、必要に応じて種々の楽器と同様の演奏を手軽に行うことができる電子楽器機能付き携帯電話機を提供することにある。
【課題を解決するための手段】
【０００６】
前記目的を達成するため、本発明は、携帯電話本体と、この携帯電話本体に着脱自在なアタッチメントとを備えた電子楽器機能付き携帯電話機であって、
前記アタッチメントは、演奏操作可能に設けられ、当該演奏操作を演奏データとして検出可能な操作部と、前記演奏データを送信可能な送信部とを備え、
前記携帯電話本体は、前記送信部から送信された演奏データを受信可能な受信部と、演奏データ及び記憶された楽器プログラムを基に楽音データを生成するよう制御可能な制御部とを備える、という構成が採用されている。
【０００７】
本発明において、携帯電話本体は、マイクを含み、当該マイクが検出したデータを前記演奏データに含めて前記制御部が前記楽音データを生成するよう制御可能に設けられる、という構成が好ましくは採用される。
【０００８】
また、前記操作部は、押圧操作可能なバルブ部材を備えることが好ましい。
【０００９】
更に、前記操作部は、直線方向に延出するとともに、当該延出方向に沿って移動可能なスライダ部材を備える、という構成を採ることができる。
【００１０】
また、前記操作部は、吹奏操作の風圧又は風速を検出可能な複数の吹き込み口を備える、という構成を採ってもよい。
【００１１】
更に、前記操作部は、張設された弦部材を備える、という構成を採ることができる。
【００１２】
また、前記操作部は、回転可能なつまみ部材を備える構成としてもよい。
【発明の効果】
【００１３】
本発明によれば、アタッチメントを装着することにより、広く普及している携帯電話を利用して電子楽器の演奏を行うことができ、広い保管スペース等を必要とすることなく、手軽に演奏を行うことが可能となる。これにより、電子楽器の演奏に興味を持たせるよう容易に促すことができ、特に、演奏に対する未経験者が興味を持つことが期待される。また、操作部の演奏操作が異なる複数のアタッチメントを用意することにより、演奏への興味をより一層持たせ易くすることができる。
ここで、アタッチメントにあっては、例えば、操作部を三体のバルブ部材とすることで、トランペットに似た演奏操作を行うことができる。また、操作部をスライダ部材とすることでトロンボーンに、操作部を複数の吹き込み口とすることでハーモニカに似た演奏操作を行うことができる。更に、操作部を張設された弦部材とすることで、ギターやバイオリン等の弦楽器に類似した演奏操作を行うことができ、操作部を回転可能なつまみ部材とすることで、音高や音色を容易に可変させることが可能となる。
【００１４】
また、携帯電話本体のマイクによっても演奏操作可能とすることにより、例えば、操作部をバルブ部材とし、マイクに呼気を入力することで、トランペットにより近い演奏操作を行うことが可能となる。
【発明を実施するための最良の形態】
【００１５】
以下、本発明の好ましい実施の形態について図面を参照しながら説明する。
なお、本明細書及び特許請求の範囲において、方向若しくは位置を示す用語は、特に明示しない限り、図１を基準として用いる。
【００１６】
［第１実施形態］
図１には、第１実施形態に係る携帯電話機の概略斜視図が示され、図２には、その正面図が示され、図３には、図２の分解正面図が示されている。これらの図において、携帯電話機１０は、携帯電話本体１１と、この携帯電話本体１１の左端側に着脱自在に設けられたアタッチメント１２とを備えている。携帯電話機１０は、通話やメール等、公知の携帯電話が有する一般的機能の他、後述する電子楽器としての機能を備えている。
【００１７】
前記携帯電話本体１１は、上下に長い板状に形成されるとともに、右端側が平面視半円弧状（図４参照）に形成されている。携帯電話本体１１は、前面側に液晶ディスプレイ等からなる表示ユニット１４と、テンキーやメニュー選択の操作に用いられる複数のキー１５を備え、後面側に内蔵されたカメラのレンズ（図示省略）を備えている。また、携帯電話本体１１は、上面側にマイク１７（図４（Ａ）参照）を備え、下面側にスピーカ１８（同図（Ｂ）参照）を備えている。携帯電話本体１１の左側面における上下両側には、凹状をなす受容部１９，１９がそれぞれ設けられている。
【００１８】
前記アタッチメント１２は、携帯電話本体１１の左端に沿うバー状の保持体２１と、この保持体２１の左面に設けられた操作部２２と、保持体２１の右面における上下両側から突設する突起２３，２３とを備えている。操作部２２は、三体のバルブ部材２５からなり、当該バルブ部材２５は、トランペットのバルブに近似した外観を呈し、且つ、当該バルブと同一又は類似した押圧操作を行えるようになっている。バルブ部材２５は、前記押圧操作を検出可能な可変抵抗器や位置センサからなる検出部（図示省略）と、当該検出部の出力データをデジタル信号に変換して後述する制御部に出力するＡ／Ｄコンバータ（図示省略）を備えている。
【００１９】
ここで、突起２３，２３及び受容部１９，１９内には、接点等を有する接続部２３Ａ，１９Ａが設けられ、これら接続部２３Ａ，１９Ａの接続により、携帯電話本体１１からアタッチメント１２に電力供給を行えるようになっている。
また、接続部２３Ａ，１９Ａは、データを光学的に相互に送受信するための後述する発光部及び受光部をそれぞれ備えており、当該発光部及び受光部は赤外線通信（或いはブルー・ツゥース（ｂｌｕｅ  ｔｏｏｔｈ）等の近距離通信方式）によって光に変換したデータを送受信する。
更に、携帯電話本体１１の左側面側と、保持体２１の右側面側には図示しないマグネットがそれぞれ設けられ、当該マグネットの磁力によってアタッチメント１２の装着状態を維持可能に設けられている。なお、携帯電話本体１１の左側面及び保持体２１の右側面自体を、磁性を帯びた部材により形成してもよい。
【００２０】
次に、携帯電話機１０の制御構成について、図５のブロック図を用いて説明する。
【００２１】
＜携帯電話本体の構成例＞
携帯電話本体１１は、バス３０を介して制御部３１と接続するＲＯＭ３２、ＲＡＭ３３、着脱検出部３５、受信部としての受信制御部３６、送信制御部３７及び音源発生回路部３８と、出力アンプ４０及び前記スピーカ１８と、電源回路４２と、受信制御部３６によって受光制御される受光部４４と、送信制御部３７によって送信制御される発光部４５と、携帯電話機能部４７と、前記マイク１７とを備えている。
【００２２】
なお、以下の説明では送信制御部３７及び受信制御部３６がＩｒＤＡ（Ｉｎｆｒａｒｅｄ  Ｄａｔａ  Ａｓｓｏｃｉａｔｉｏｎ）規格の赤外線通信方式による通信制御を行う場合を例とするが、通信方式は赤外線通信方式に限定されない。つまり、近距離通信方式であればよく、アタッチメント１２の通信方式と同じ方式であればよい。また、赤外線通信方式の場合は実施例ではＩｒＤＡ規格としたがＩｒＤＡ規格に限定されない。
【００２３】
制御部３１はＣＰＵ（又は、ＭＰＵ）からなり、バス３０に接続され、受信制御部３６、送信制御部３７、音源発生回路部３８、携帯電話機能部４７及びマイク１７に制御データを送信して動作を制御する。
【００２４】
ＲＯＭ３２は、前記制御部３１の動作手順を含む制御プログラム、例えば、携帯電話本体１１全体の動作制御手順や、アタッチメント１２から受け取った電気信号に基づく処理手順を含むプログラム群等を含む制御プログラム、制御プログラムの実行に必要な定数等が格納されている。また、アタッチメント１２のＩＤ情報や、当該ＩＤ情報に対応する楽器プログラムが格納されている。本実施形態では、楽器プログラムは、前記アタッチメント１２のＩＤ情報に対し、各バルブ部材２５の操作に応じてトランペットの音色や音高となるように設定される。
【００２５】
前記各プログラムは携帯電話本体１１に電源が投入されるとＲＯＭ３２から読み出され、ＲＡＭ３３に駐在し、制御部３１は各制御プログラムに従って動作制御や各種処理の実行制御を行う。
【００２６】
ＲＡＭ３３は、制御プログラムを記憶するプログラム駐在領域や、受信制御部３６から受け取ったアタッチメント１２からの制御データ等を一時的に記憶する作業領域として用いられる。
【００２７】
着脱検出部３５は、前記接続部２３Ａ，１９Ａに設けられ、携帯電話本体１１に対するアタッチメント１２の取り外し及び装着を検出すると検出信号を制御部３１に送出する。着脱検出部３５は感圧素子や光センサ等のセンサ或いはオン／オフスイッチ等で構成することができる。
【００２８】
受信制御部３６はＩｒＤＡ規格の通信制御方式により受光部４４を制御する。受光部４４は受信制御部３６の制御下で赤外線データを受信するとデジタルデータに変換して受信制御部３６に渡し、受信制御部３６は受光部４４から受け取ったデータを制御部３１に送出する。また、受信制御部３６は、制御部３１の制御に基づき受光部４４を介してアタッチメント１２から受け取った演奏データを音源発生回路部３８に出力する。
【００２９】
送信制御部３７は制御部３１の制御に基づき制御部３１を介して制御データを受け取るとＩｒＤＡ規格の赤外線通信方式により発光部４５を制御し、制御データを赤外線データに変換させ、外部に送出（発光）させる。
【００３０】
携帯電話機能部４７は、通話やメール等の公知の携帯電話が有する機能を携帯電話本体１１に発揮させる。具体的には、図示しないアンテナを介して通話情報やメール情報を送受信する機能や、前記表示ユニット１４やキー１５により入出力や操作を行える機能が例示できる。
【００３１】
マイク１７は、ユーザの発声等により音を検出し、当該音に対応したデータ（音高等を示すデジタルデータ）が制御部３１に送出される。
【００３２】
＜アタッチメントの構成例＞
アタッチメント１２は、バス５０を介して制御部（ＣＰＵ）５１と接続する前記操作部２２、ＲＯＭ５２、ＲＡＭ５３、送信部としての送信制御部５５及び受信制御部５６が接続されており、また、電源回路５８と、送信制御部５５によって発光制御される発光部６０と、受信制御部５６によって受信制御される受光部６１とを備えている。
【００３３】
以下の説明で送信制御部５５及び受信制御部５６がＩｒＤＡ規格の赤外線通信方式による通信制御を行う場合を例とするが、通信方式は赤外線通信方式に限定されない。つまり、近距離通信方式であればよく、携帯電話本体１１の通信方式と同じ方式であればよい。
【００３４】
制御部５１はＣＰＵ（又は、ＭＰＵ）からなり、バス５０に接続され、操作部２２、送信制御部５５、受信制御部５６に制御データを送信して動作を制御し、操作部２２から送られてくるデジタルデータ（演奏データ）を受け取って処理を実行する。
【００３５】
ＲＯＭ５２には、上述した制御部５１の動作手順を含む制御プログラム、例えば、アタッチメント１２全体の動作制御手順や、操作部２２から受け取ったデータに基づく処理手順を含むプログラム群等を含む制御プログラムや、アタッチメント１２の動作手順を含む制御プログラムや、制御プログラムの実行に必要な定数等が格納されている。また、ＲＯＭ５２には、アタッチメント１２特有のＩＤ情報が格納されている。
【００３６】
前記制御プログラムは携帯電話本体１１の電源が投入されるとＲＯＭ５２から読み出され、ＲＡＭ５３に駐在し、制御部５１はこの制御プログラムに従ってアタッチメント１２の動作制御や各種処理の実行制御を行う。
【００３７】
ＲＡＭ５３は制御プログラムを記憶するプログラム駐在領域や、操作部２２から受け取ったデータを一時的に記憶する作業領域として用いられる。
【００３８】
送信制御部５５は制御部５１の制御に基づき制御部５１を介して制御プログラムや操作指示データ、演奏データを受け取るとＩｒＤＡ規格の赤外線通信方式により発光部６０を制御し、受け取ったデジタルデータを赤外線データに変換させ、外部に送出（発光）させる。
【００３９】
受信制御部５６はＩｒＤＡ規格の通信制御方式により受光部６１を制御する。受光部６１は受信制御部５６の制御下で赤外線データを受信するとデジタルデータに変換して受信制御部５６に渡し、受信制御部５６は受光部６１から受け取ったデータを制御部５１に送出する。
【００４０】
以上の構成において、携帯電話機１０を電子楽器として用いて演奏する場合、先ず、携帯電話本体１１の電源をオンにし、電源回路４２，５８から電源を各回路部に供給させる。携帯電話本体１１側ではＲＯＭ３２から制御プログラムを読み出してＲＡＭ３３に駐在（＝記憶）させ、アタッチメント１２側ではＲＯＭ５２から制御プログラムを読み出してＲＡＭ５３に駐在させる。また、アタッチメント１２のＲＯＭ５２からＩＤ情報を取り出して送信制御部５５、発光部６０を介して携帯電話本体１１にＩＤ情報を送信する。携帯電話本体１１側では、受光部４４、受信制御部３６を介してアタッチメント１２からＩＤ情報を受け取ると、それをＲＡＭ３３に駐在（＝記憶）させる共に、そのＩＤ情報に対応する楽器プログラムをＲＯＭ３２から読み出してＲＡＭ３３に駐在させる。
【００４１】
その後、ユーザが操作部２２及びマイク１７を操作して演奏を行うと演奏データがバス５０，３０を介して制御部５１，３１に送出される。制御部５１は制御データと共に演奏データを送信制御部５５及び発光部６０を介して赤外線データとして外部に送出（送信）する。携帯電話本体１１側では受光部４４が赤外線データを受信するとそれを復調しデジタル信号とし、受信制御部３６は受信データを演奏データとして音源発生回路部３８に送る。また、携帯電話本体１１側の制御部３１は、検出したデータを演奏データとして音源発生回路部３８に送る。音源発生回路部３８は受け取った演奏データと前記楽器プログラムとを基に楽音データを生成し、出力アンプ４０を介してスピーカ１８から再生音を出力させる。
【００４２】
なお、電子楽器として演奏させる機能と、携帯電話本体１１による通話やメール等の携帯電話としての機能とは、キー１５の操作によって適宜切り替え可能となる。また、キー１５は、通話やメールの操作だけでなく、演奏時における操作によって音色調整等に利用することができる。
【００４３】
従って、このような第１実施形態によれば、マイク１７に向かって発声しつつ各バルブ部材２５を押圧及びその解除操作を行うことで、トランペットタイプの電子楽器として手軽に演奏を行うことが可能となる。
【００４４】
次に、本発明の第１実施形態以外の実施形態について説明する。なお、以下の説明において、前記第１実施形態と同一若しくは同等の構成部分については必要に応じて同一符号を用いるものとし、説明を省略若しくは簡略にする。
【００４５】
［第２実施形態］
図６には、本発明の第２実施形態に係る携帯電話機１０の正面図が示されている。この第２実施形態では、操作部２２がスライド部材７０を備えて構成される。スライド部材７０は、同図中上下延びる直線方向に延出するとともに、当該延出方向に沿って移動可能に設けられている（同図中二点鎖線部参照）。スライド部材７０の上端より下方位置には、指先で把持し易いよう突出部７０Ａが形成されている。スライド部材７０と保持体２１との間には、スライド部材７０のスライド操作による移動量を検出可能な可変抵抗器や位置センサからなる検出部（図示省略）を備えている。また、前述のＩＤ情報に対応する楽器プログラムは、アタッチメント１２のＩＤ情報に対し、スライド部材７０のスライド操作やマイク１７への入力に応じてトロンボーンの音色や音高となるように設定される。これによれば、マイク１７に向かって発声しつつスライド部材７０を図６中上下にスライド移動させることで、恰もトロンボーンのような操作感の電子楽器として演奏を行うことが可能となる。
【００４６】
［第３実施形態］
図７には、本発明の第３実施形態に係る携帯電話機１０の正面図が示されている。この第３実施形態では、操作部２２が複数の複数の吹き込み口７２を備えて構成される。各吹き込み口７２は、角穴状をなし、同図中上下方向に所定間隔を隔てて設けられている。各吹き込み口７２の奥側には、吹奏操作の風圧又は風速を検出可能な呼吸気圧センサからなる検出部（図示省略）を備えている。また、前述のＩＤ情報に対応する楽器プログラムは、アタッチメント１２のＩＤ情報に対し、各吹き込み口７２での吹奏操作に応じてハーモニカと同様の音色や音高となるように設定される。これによれば、各吹き込み口７２に吹奏操作することにより、ハーモニカの電子楽器として演奏を行うことが可能となる。
【００４７】
［第４実施形態］
図８には、本発明の第４実施形態に係る携帯電話機１０の正面図が示されている。この第４実施形態では、操作部２２が弦部材７４を備えて構成される。弦部材７４は、保持体２１の上下両側に支持されて所定の張力によって張設されている。弦部材７４の少なくとも一端側には、当該弦部材７４の振動周波数や振幅を検出可能なセンサからなる検出部（図示省略）を備えている。また、前述のＩＤ情報に対応する楽器プログラムは、アタッチメント１２のＩＤ情報に対し、弦部材７４の振動や振幅に応じ、ギターやバイオリン等の弦楽器の音色や音高となるように設定される。これによれば、弦部材７４を指先で弾いたり擦ったりする操作を行うことで、弦楽器のような操作感の電子楽器として演奏を行うことが可能となる。
【００４８】
［第５実施形態］
図９には、本発明の第５実施形態に係る携帯電話機１０の正面図が示されている。この第５実施形態では、操作部２２が複数の三体のつまみ部材７６を備えて構成される。各つまみ部材７６は、ダイヤルのようにそれぞれ回転操作可能に設けられている。各つまみ部材７６は、前記回転操作を検出可能な可変抵抗器等からなる検出部（図示省略）を備えている。また、前述のＩＤ情報に対応する楽器プログラムは、アタッチメント１２のＩＤ情報に対し、つまみ部材７６の操作により変化する様々な電子音に設定されている。これによれば、つまみ部材７６の回転操作により、音高や音調、音量がアナログ的に変化する演奏を楽しむことが可能となる。
【００４９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００５０】
例えば、前記楽器プログラムは、第１ないし第５実施形態の楽器プログラムを全て含むように構成してもよい。これによれば、第１ないし第５実施形態のアタッチメント１２を全て用意し、適宜アタッチメント１２を交換するだけで、種々のタイプの電子楽器を選択して演奏でき、より一層演奏に対する興味を持たせたり、演奏を楽しむことが可能となる。
【００５１】
更に、第１実施形態のバルブ部材２５や、第５実施形態のつまみ部材７６の設置数は、適宜増減してもよい。但し、前記バルブ部材２５は三体とした方が、トランペットの演奏により類似するようになる点で有利となる。
【００５２】
また、操作部２２は、種々の変更が可能であり、例えば、前記バルブ部材２５とつまみ部材７６の両方を設ける等、複数の実施形態の構成を組み合わせたものとしてもよい。
【図面の簡単な説明】
【００５３】
【図１】第１実施形態に係る携帯電話機の概略斜視図。
【図２】図１の正面図。
【図３】図２の分解正面図。
【図４】（Ａ）は携帯電話本体の平面図、（Ｂ）は携帯電話本体の底面図。
【図５】前記携帯電話機の構成を示すブロック図。
【図６】第２実施形態に係る携帯電話機の図２と同様の正面図。
【図７】第３実施形態に係る携帯電話機の図２と同様の正面図。
【図８】第４実施形態に係る携帯電話機の図２と同様の正面図。
【図９】第５実施形態に係る携帯電話機の図２と同様の正面図。
【符号の説明】
【００５４】
１０・・・携帯電話機、１１・・・携帯電話本体、１２・・・アタッチメント、１７・・・マイク、２２・・・操作部、２５・・・バルブ部材、３１・・・制御部、３６・・・受信制御部（受信部）、５５・・・送信制御部（送信部）、７０・・・スライド部材、７２・・・吹き込み口、７４・・・弦部材、７６・・・つまみ部材
【図１】
2010021971.tif 000003
【図２】
2010021971.tif 000004
【図３】
2010021971.tif 000005
【図４】
2010021971.tif 000006
【図５】
2010021971.tif 000007
【図６】
2010021971.tif 000008
【図７】
2010021971.tif 000009
【図８】
2010021971.tif 000010
【図９】
2010021971.tif 000011